(57)【要約】【課題】衝突等による衝撃を緩和するシート構造としても、シートバックフレーム全体の強度を低下させることのない車両用シートバックとする。【解決手段】シートバック３はシートバックフレーム７を内部に有し、ヘッドレスト５が上部に装着されている。シートバックフレーム７が両側のサイドフレーム８と、サイドフレーム８の上端部に掛け渡されるアッパーフレーム９とを有し、アッパーフレーム９におけるヘッドレスト５の配置領域を除く両側を覆うように衝撃吸収ブラケット１５が座屈可能に取り付けられている。【選択図】図２
2007020740.tif 000002
【特許請求の範囲】
【請求項１】
シートバックフレームを内部に有し、ヘッドレストが上部に装着されたシートバックであって、前記シートバックフレームが両側のサイドフレームと、サイドフレームの上端部に掛け渡されるアッパーフレームとを有し、アッパーフレームにおける前記ヘッドレスト配置領域を除く両側を覆うように衝撃吸収ブラケットが座屈可能に取り付けられていることを特徴とする車両用シートバック。
【請求項２】
前記アッパーフレームにおける衝撃吸収ブラケットとの対向部分が凹み成形されていることを特徴とする請求項１記載の車両用シートバック。
【発明の詳細な説明】
【技術分野】
【０００１】
本発明は、車両用シートバックに関し、特に車両の衝突時等における後部座席の着座者が受ける衝撃を吸収して緩和する構造を有した車両用シートバックに関する。
【背景技術】
【０００２】
図５は、前部座席５１の後側に後部座席５２が設けられている自動車の車室の内部を示す。このような自動車においては、衝突や追突或いは急停止による衝撃が加わると、その惰性によって後部座席の着座者５３が前部座席５１の方向に跳び出して前部座席５１のシートバック５４の上部に頭部や顔面をぶつけて怪我をすることがある。このため、従来より、シートバック５４にぶつかったときの衝撃を緩和する構造が開発されている。
【０００３】
これらの衝撃緩和構造として、特許文献１及び２には、シートバックフレームを左右両側のサイドフレームと、サイドフレームの上端部を連結するパイプ材からなるアッパーフレームとによって構成し、アッパーフレームをサイドフレームに対して下方に変位可能に取り付ける構造が開示されている。これらの構造では、後部座席の着座者がシートバックの上部にぶつかったとき、アッパーフレームの全体が下方に沈み込むように変位するため、この変位により衝撃を吸収することが可能となっている。
【特許文献１】実開昭５９−１３６３３７号公報
【特許文献２】実開昭５７−２０４２４８号公報
【発明の開示】
【発明が解決しようとする課題】
【０００４】
上述した構造では、サイドフレームに対してアッパーフレームの変位を許容する構造のため、アッパーフレームをサイドフレームに強固に固定することができず、シートバックフレーム全体の強度が低下する問題を有している。すなわち、これらの構造では、アッパーフレームの両端部とアッパーフレームの両端部が挿入されるサイドフレームの上端部とに相互に係合する凹凸を形成し、これらの凹凸の係合力によってアッパーフレームをサイドフレームに固定するため、アッパーフレームとサイドフレームとを溶接したり、ボルト結合する等の強固な固定を行うことができず、シートバックフレームの全体が脆弱となるものである。
【０００５】
これに対し、シートバックフレームの強度を確保するためには、少なくともサイドフレームの厚さを厚くしたり、補強材をシートバックフレームに別途、掛け渡し状に取り付ける必要がある。しかしながら、この場合には、シートバックフレームの重量が大きくなり、取り扱い性が低下する新たな問題が発生する。
【０００６】
また、アッパーフレームとサイドフレームに対して凹凸等の加工を別途、施す必要が生じるため、これらの加工による工程数が増加する問題も有している。
【０００７】
本発明は、このような問題点を考慮してなされたものであり、衝撃を緩和する構造としても、シートバックフレーム全体の強度を低下させることなく、工程数も増加することのない車両用シートバックを提供することを目的とする。
【課題を解決するための手段】
【０００８】
請求項１記載の発明の車両用シートバックは、シートバックフレームを内部に有し、ヘッドレストが上部に装着されたシートバックであって、前記シートバックフレームが両側のサイドフレームと、サイドフレームの上端部に掛け渡されるアッパーフレームとを有し、アッパーフレームにおける前記ヘッドレスト配置領域を除く両側を覆うように衝撃吸収ブラケットが座屈可能に取り付けられていることを特徴とする。
【０００９】
請求項１記載の発明では、衝撃等による大荷重によって後部座席の着座者がシートバックにぶつかったとき、衝撃吸収ブラケットが座屈し、この座屈によって衝撃を吸収して緩和する。この発明では、衝撃吸収ブラケットはシートバックにおけるヘッドレストの左右のショルダー部分での衝撃を吸収するものであり、このため、ヘッドレスト配置領域を除くアッパーフレームの両側に配置される。一方、シートバックの中央部分には、ヘッドレストが設けられており、衝突等によって後部座席の着座者が前方に跳び出してヘッドレストにぶつかったときは、ヘッドレストの弾力によって衝撃を緩和することができる。
【００１０】
このような構造では、ヘッドレストと衝撃吸収ブラケットとによって衝撃を緩和するため、アッパーフレームをサイドフレームに対して変位可能に取り付ける必要がなく、アッパーフレームとサイドフレームとを強固に結合することができる。このため、シートバックフレームの強度確保のために、サイドフレームを厚くしたり、補強材をシートバックフレームに掛け渡す必要がなく、シートバックフレームの重量が大きくなることがなく、取り扱い性が向上する。また、アッパーフレームを変位可能とするためにアッパーフレーム及びサイドフレームに対して凹凸等の加工を施す必要がなく、工程数が増加することもない。
【００１１】
請求項２記載の発明は、請求項１記載の車両用シートバックであって、前記アッパーフレームにおける衝撃吸収ブラケットとの対向部分が凹み成形されていることを特徴とする。
【００１２】
請求項２記載の発明では、アッパーフレームにおける衝撃吸収ブラケットとの対向部分が凹み成形されていることにより、衝撃吸収ブラケットの座屈量を十分に確保することができ、その分、衝撃の吸収量が大きくなる。従って、衝撃をさらに大きく緩和することができる。
【発明の効果】
【００１３】
本発明によれば、車両衝突によって後部座席の着座者がシートバックにぶつかったときの衝撃をヘッドレストとヘッドレストの両側の衝撃吸収ブラケットとによって緩和するため、衝撃緩和のためにアッパーフレームをサイドフレームに対して変位可能に取り付ける必要がなく、アッパーフレームとサイドフレームとを強固に結合することができる。従って、シートバックフレームの強度確保のためにシートバックフレームの重量を大きくする必要がなく、取り扱い性が向上する。また、アッパーフレームを変位可能とするためにアッパーフレーム及びサイドフレームに対して凹凸等の加工を施す必要がなく、工程数が増加することもない。
【発明を実施するための最良の形態】
【００１４】
図１〜図４は、本発明の一実施形態を示し、図１はこの実施形態のシートバックが取り付けられた車両用シート全体の部分破断斜視図、図２はシートバックフレームの斜視図、図３及び図４は要部の正面からの断面図及び側面からの断面図である。
【００１５】
図１に示すように、車両用シート１はシートクッション２と、シートクッション２の後部に支持されたシートバック３とを有している。この車両用シート１は車両の前部座席に用いられるものであり、シートバック３はリクライニング機構を介してシートクッション２に適宜の角度で傾倒可能に連結されている。４はリクライニング機構が格納されたリクライニングユニットである。
【００１６】
シートバック３の上部の中央部分には、ヘッドレスト５が取り付けられている。ヘッドレスト５は図示を省略するが、ヘッドレストフレームの周囲をパッドからなるクッション材が包囲することにより適宜の弾性を有している。また、ヘッドレストフレームには、ヘッドレストステイが取り付けられており、このヘッドレストステイが図２に示すステイ支持管６に挿入されることにより、ヘッドレスト５がシートバック３の上部に取り付けられる。この実施形態では、ヘッドレスト５がシートバック３の上部に別体となって取り付けられる構造となっているが、ヘッドレスト５をシートバック３の上部に一体的に形成した構造であっても良い。
【００１７】
シートバック３の内部には、図２に示すシートバックフレーム７が設けられている。このシートバックフレーム７に対して、パッドからなるクッション材１２（図４参照）が覆うことにより着座時の弾性が付与されている。
【００１８】
シートバックフレーム７は、左右両側のサイドフレーム８と、サイドフレーム８の上端部に掛け渡すようにして取り付けられるアッパーフレーム９とを有することにより外形が形成されている。左右両側のサイドフレーム８には、複数のばね線材が組み付けられたクッションマット１０が掛け渡されている。また、左右両側のサイドフレーム８の上部には、パイプ材がコ字形に屈曲された上部フレーム１１が溶接等により固定されており、この上部フレーム１１に上述したステイ支持管６が取り付けられている。
【００１９】
アッパーフレーム９はパイプ材をコ字形に屈曲し、その両端部を左右のサイドフレーム８に固定することによりサイドフレーム８に連結されている。アッパーフレーム９のサイドフレーム８への固定は、アッパーフレーム９の両端部をサイドフレーム８の上部に挿入し、溶接あるいはボルト締結することにより行われる。このような固定構造では、アッパーフレーム９がサイドフレーム８に強固に取り付けられるため、アッパーフレーム９が変位することがない。
【００２０】
アッパーフレーム９には、衝撃吸収ブラケット１５が取り付けられる。衝撃吸収ブラケット１５は、金属薄板を円弧状に湾曲することにより形成されており、その下端の開放部分がアッパーフレーム９に臨んだ状態で同フレーム９に取り付けられることによりアッパーフレーム９を覆うようになっている。
【００２１】
この衝撃吸収ブラケット１５は、上述したヘッドレスト５の配置領域を除くアッパーフレーム９の両側に取り付けられるものである。この取り付けは、衝撃吸収ブラケット１５及びこれに対応したアッパーフレーム９の対応部位に相互に係合する凹凸部（図３における符号１５ａ）を形成することにより行うことができる。このようにアッパーフレーム９を覆う衝撃吸収ブラケット１５は、衝撃時に座屈することによりアッパーフレーム９の方向に変位することができる。
【００２２】
アッパーフレーム９における衝撃吸収ブラケット１５に対応した部分、すなわち、アッパーフレーム９の左右のショルダー部には凹部１７が形成されている。凹部１７はアッパーフレーム９をコ字形に屈曲すると同時あるいは屈曲加工の前にプレス加工を施すことによって形成されるものであり、凹部１７の形成部位は図４に示すように三日月状となる。このように衝撃吸収ブラケット１５に対応した部分に凹部１７が形成されることにより、衝撃吸収ブラケット１５が凹部１７の分だけ多く座屈することが可能となる。図４において、Ｄは凹部１７を形成したことにより確保された衝撃吸収ブラケット１５の変位量である。
【００２３】
次に、この実施形態の作用を説明する。衝突等に起因した衝撃等による大荷重によって後部座席の着座者がシートバック３にぶつかる態様としてシートバック３上部の中央部分及び左右のショルダー部分がある。シートバック３上部の中央部分にぶつかる場合、この実施形態では、シートバック３の上部にヘッドレスト５が取り付けられているため、ヘッドレスト５自体の弾力によって衝撃が緩和される。一方、シートバック３の左右のショルダー部分にぶつかる場合、この部分に設けた衝撃吸収ブラケット１５が座屈し、この座屈によって衝撃を吸収して緩和する。従って、いずれも場合にも、衝撃を緩和することができ、後部座席の着座者の怪我を少なくできる安全性を備えたものとなる。
【００２４】
このような実施形態では、中央部分のヘッドレスト５と左右の衝撃吸収ブラケット１５とによって衝撃を緩和することができる。このため、アッパーフレーム９をサイドフレーム８に対して変位可能に取り付ける必要がなく、アッパーフレーム９とサイドフレーム８とを強固に結合することができる。従って、シートバックフレーム７全体の強度確保のために、サイドフレーム８を厚くしたり、補強材をシートバックフレーム７に掛け渡す必要がなく、シートバックフレーム７の重量が大きくなることがなく、取り扱い性が向上する。
【００２５】
また、衝撃吸収のためにアッパーフレーム９を変位可能とする必要がない。このため、アッパーフレーム９及びこれを支持するサイドフレーム８に対して凹凸等の加工を施す必要がなく、工程数が増加することもない。
【００２６】
さらに、この実施形態では、アッパーフレーム８における衝撃吸収ブラケット１５との対向部分に凹部１７が形成されていることにより、衝撃吸収ブラケット１５の下方への変位量Ｄを十分に確保することができる。このため、その分、衝撃の吸収量が大きくなり、衝撃をさらに大きく緩和することができる。
【００２７】
本発明は以上の実施形態に限定されることなく、種々変形が可能である。例えば、衝撃吸収ブラケット１５はアッパーフレーム９に対して座屈可能に覆うものであれば良く、その形状を適宜変更することができる。又、アッパーフレーム９としては、金属ロッド等のパイプ材以外の金属材料を用いることができる。
【図面の簡単な説明】
【００２８】
【図１】本発明の一実施形態が適用された背面からの斜視図である。
【図２】本発明の一実施形態のシートバックにおけるシートバックフレームの斜視図である。
【図３】アッパーフレームの要部を示す正面からの断面図である。
【図４】アッパーフレームの要部を示す側面からの断面図である。
【図５】車両用シートの一般的な配置を示す側面図である。
【符号の説明】
【００２９】
１  車両用シート
２  シートクッション
３    シートバック
５  ヘッドレスト
７  シートバックフレーム
８  サイドフレーム
９  アッパーフレーム
１７  凹部
【図１】
2007020740.tif 000003
【図２】
2007020740.tif 000004
【図３】
2007020740.tif 000005
【図４】
2007020740.tif 000006
【図５】
2007020740.tif 000007